(57)【特許請求の範囲】
【請求項１】
刈取り引起し装置の側面を覆う上部側面カバー（１ａ）、（１ｂ）の下部に、上部側面カバー（１ａ）、（１ｂ）を取付ける取付け金具（３）を支持棒（２）に係合させて、上部側面カバー（１ａ）、（１ｂ）を支持棒（２）を中心に回動可能に構成し、且つ、支持棒（２）に対して取付け金具（３）を脱着可能に構成する支点部を有するコンバインにおける刈取り安全カバーの構造において、支持棒（２）と刈取りフレームパイプ（４）との間に形成される排出空間（５）にゴムまたは、樹脂材で覆う下部カバー（６）を上部側面カバー（１ａ）、（１ｂ）から垂下させたことを特徴とするコンバインにおける刈取り安全カバーの構造。
【請求項２】
刈取り引起し装置の側面を覆う上部側面カバー（１ａ）、（１ｂ）と隣接する引起しケース（７）の前面に設置する延設カバー（２０）を一体に形成するとともに、 運転席（９）の前方で重合する刈取り部（Ｃ）の裏面に、透明部材の防塵シート（１０）を引起し上部から吊るし、下端部を上部搬送装置（１１）の近傍まで垂下させたことを特徴とする請求項１．記載のコンバインにおける刈取り安全カバーの構造。
【発明の詳細な説明】
【０００１】
【発明の属する技術分野】
本発明は、運転席の前方に刈取り部の引起し装置が重合する多条刈りコンバインにおいて、刈取り部の側面カバーに刈刃の危険を防護する弾性体のカバーと刈取り部の裏面に防塵シートを連設させた安全カバーの構造に関するものである。
【０００２】
【従来の技術】
従来の上部側面カバーの構造は、安全のために刈刃近傍の空間を塞ぐ目的で回動支点位置が刈取りフレームパイプに近設され，泥や藁くずが移動排出する障害となって搬送詰まりを生じていた。また、引起しケースと上部側面カバーの取合せでは接合部において、段差や隙間の誤差が生じ機体正面の外観を損なうなどの取合せ精度が要求される製造上の難しさがあった。
一方、操作面でも引起しタインの揚上作用によって、稲の茎稈や葉部がすごかれて粉塵が発生し、前述する引起しケースとの段差や隙間から流出したり、風向によっては搬送路の空間や刈取り装置の下方から吹出して運転者に影響する問題があった。
【０００３】
【発明が解決しようとする課題】
刈刃の駆動部で発生した泥や藁くずが刈取りフレームパイプ周辺に滞留しても巻付きや搬送の詰まりを生じずに、しかも刈取り部の引起し作用によって発生する塵埃が、運転者に直接かからないコンバインにおける刈取り装置の安全カバーを提供するものである。
【０００４】
【課題を解決する手段】
刈取り引起し装置の側面を覆う上部側面カバー（１ａ）、（１ｂ）の下部に、上部側面カバー（１ａ）、（１ｂ）を取付ける取付け金具（３）を支持棒（２）に係合させて、上部側面カバー（１ａ）、（１ｂ）を支持棒（２）を中心に回動可能に構成し、且つ、支持棒（２）に対して取付け金具（３）を脱着可能に構成する支点部を有するコンバインにおける刈取り安全カバーの構造において、支持棒（２）と刈取りフレームパイプ（４）との間に形成される排出空間（５）にゴムまたは、樹脂材で覆う下部カバー（６）を上部側面カバー（１ａ）、（１ｂ）から垂下させた。
【０００５】
また、刈取り引起し装置の側面を覆う上部側面カバー（１ａ）、（１ｂ）と隣接する引起しケース（７）の前面に設置する延設カバー（２０）を一体に形成するとともに、 運転席（９）の前方で重合する刈取り部（Ｃ）の裏面に、透明部材の防塵シート（１０）を引起し上部から吊るし、下端部を上部搬送装置（１１）の近傍まで垂下させた。
【０００６】
【発明の実施の形態】
【実施例】
本発明による刈取り安全カバーの構造について実施例図を参照し説明すると、図１は、引起しケースカバーと一体成形した刈取り上部側面カバーの右前方からの斜視図であって、下部カバーの装着と防塵シートの配置を示すものである。図４に示すコンバイン全体の概略は、走行装置（Ａ）上に載設した機台の左側に脱穀部（Ｂ）が搭載され、右側には脱穀部（Ｂ）で打穀処理され風選した穀粒を貯留し取り出すタンクを設け、その前方には運転席を設置するものであって、該運転席の前側から脱穀部（Ｂ）前方側にかけて昇降する刈取り部（Ｃ）を機体前面に配置する形態のものである。機体の進行と共に植立穀稈を刈取り部（Ｃ）の引起しタインで整え、刈取られた穀稈を搬送装置で後方に揚上させながらフィードチェーンに受継ぎをさせて脱穀部（Ｂ）で打穀と風選を行い穀粒をタンクに貯留し取出すものであって、排藁は機体後方に取付けたカッターで切断し排出するようになっている。
【０００７】
図２と図３は、この発明の第一実施例を示したもので、図２は機体最前部に配置した刈取り部（Ｃ）の左側における刈取り上部側面カバー左（１ａ）の下方に下部カバー（６）を連設した左側面図、図３は刈取り上部側面カバー左（１ａ）の縦断面図であって刈刃（１４）、並びに刈刃駆動リンク（１５）と下部カバー（６）の相対位置を示したものである。
【０００８】
刈取り装置の両側面を覆う上部側面カバー（１ａ）、（１ｂ）の下端は、刈取りフレームパイプ（４）と離間させた支持棒（２）に係合する取付け金具（３）を設けて該上部側面カバー（１ａ）、（１ｂ）の位置を安定させるとともに支持棒（２）を支点として、矢印（イ）の方向に脱着自在の係止フック（１２）を解除して取り外しをするものである。
【０００９】
上部側面カバー（１ａ）、（１ｂ）の下端と刈取りフレームパイプ（４）で形成される排出空間（５）には矢印（ロ）の方向に作動する刈刃（１４）と刈刃駆動リンク（１５）を設置して同部分を中心にゴムまたは、樹脂部材で成形した下部カバー（６）で覆い、その上端は上部側面カバー（１ａ）、（１ｂ）の下端にカバー止めボルト（１３）で固定して、刈取りフレームパイプ（４）の近傍まで垂下させたものである。
【００１０】
これにより、刈刃（１４）の駆動部で発生する泥や藁くずが、支持棒（２）と刈取りフレームパイプ（４）との排出空間（５）に滞留しはじめても内部からの押圧力によって下部カバー（６）が、矢印（ハ）の方向に開き滞留物は機体外へ排出されるため、刈取り部（Ｃ）での巻付きや搬送詰まりが解消されるようになった。
【００１１】
次に、図５〜７はこの発明の第２実施例を示したもので、図５には運転席（９）と重合する刈取り部（Ｃ）において上部側面カバー右（１ｂ）に隣接する右側引起しケース（７）の形状に合致する延設カバー（２０）を上部側面カバー右（１ｂ）と一体成形した前方視図であって、平面視する断面形状は図８のＸ−Ｘ断面として図６に示すごとく、上部側面カバー右（１ｂ）に連続した延設カバー（２０）の断面の形状は接合部のないＬ字型となった。また、延設カバー（２０）と引起しケース（７）の係止には上部側面カバー右（１ｂ）の裏面に上下間隔をもった挟持板（１８）を差込み方向に開口させて溶着し、引起しケース（７）の取付端面（１７）に係合させて引起しタイン（８）に接近する位置に固定するものである。図７は、挟持板（１８）が引起しケース（７）の取付端面（１７）に係止した要部の横断面図である。
【００１２】
このように上部側面カバー右（１ｂ）と引起しケース（７）との接合部をもたない一体成形カバーとなったことによって、収穫作業中に刈取り部（Ｃ）の内部で発生する塵埃が該接合部の段差や隙間から流出しなくなり、しかも上部側面カバー右（１ｂ）の脱着ではその都度引起しケース（７）の前面が同時に開放されるのでケース内部の藁くずなどが落下して巻付きや詰まりを生じないようになった。
【００１３】
さらに、図５，６，８，はこの発明の他の実施例を示したもので、運転席（９）の前方、即ち刈取り部（Ｃ）が重合する裏面部分に防塵シート（１０）をヘッドカバー（２１）より吊るし、上端はシール止めボルト（２２）で係止して両端面を搬送路（１６）との通路隔壁部（２３）に、そして一方を上部側面カバー右（１ｂ）の後縁（１９）に添わせてあり、下端部は上部搬送装置（１１）の近傍まで垂下させている。矢印（ニ）は穀稈の移送方向を示すものであって、図６は、図８のＸ−Ｘ断面を平面視したもので防塵シート（１０）と上部側面カバー右（１ｂ）、並びに延設板（２０）によって刈取り内部の前後と側面の３方向を包囲したものである。
【００１４】
図５は、運転席（９）と，刈取り部（Ｃ）の重合部分を示す正面の形状であって、上部搬送装置（１１）の上方には搬送路（１６）を形成する多面形状の穂部ガイド板（２４）が張設され、該穂部ガイド板（２４）の上方には搬送状況を確認する窓（２５）を牙設しているが、塵埃の流出もあるために窓（２５）の後方に透視できる防塵シート（１０）が立設するものである。
【００１５】
このように、透明部材の防塵シート（１０）を隔壁に添わせて刈取り裏面に垂下させ前後と側面の３方向を包囲することで、運転者に影響する刈取り部（Ｃ）上部からの塵埃の流出を封じ込め、吹出しを防ぎ運転操作を快適に行うことができるようになった。
【００１６】
【発明の効果】
本発明は、刈取り引起し装置の側面を覆う上部側面カバー（１ａ）、（１ｂ）の下部に、上部側面カバー（１ａ）、（１ｂ）を取付ける取付け金具（３）を支持棒（２）に係合させて、上部側面カバー（１ａ）、（１ｂ）を支持棒（２）を中心に回動可能に構成し、且つ、支持棒（２）に対して取付け金具（３）を脱着可能に構成する支点部を有するコンバインにおける刈取り安全カバーの構造において、支持棒（２）と刈取りフレームパイプ（４）との間に形成される排出空間（５）にゴムまたは、樹脂材で覆う下部カバー（６）を上部側面カバー（１ａ）、（１ｂ）から垂下させたので、刈刃（１４）の周辺で発生した塵埃が滞留しても上部側面カバー（１ａ）、（１ｂ）の下端から垂下させた弾性体の下部カバー （ ６）を押圧し滞留物を機体外へ排出するために、刈取り部（Ｃ）での巻付付きや詰まりを生じさせない。
次に、刈取り引起し装置の側面を覆う上部側面カバー（１ａ）、（１ｂ）と隣接する引起しケース（７）の前面に設置する延設カバー（２０）を一体に形成するとともに、 運転席（９）の前方で重合する刈取り部（Ｃ）の裏面に、透明部材の防塵シート（１０）を引起し上部から吊るし、下端部を上部搬送装置（１１）の近傍まで垂下させたことによって、接合部の段差や隙間がなくなり、刈取り部（Ｃ）の内部で発生する塵埃の吹出しを防止するとともに上部側面カバー（１ａ）、（１ｂ）の脱着の都度引起しケース（７）の前面が開放されるのでケース内部の滞留物が落下して除去される。さらには、刈取り部（Ｃ）の内部で発生する塵埃の流出を封じ込むことによって吹出しを防ぐとともに作業中の搬送状況が視認できるので、運転操作が快適に行えるようになった。
【図面の簡単な説明】
【図１】上部側面カバーの一体形状と防塵シートの配置を示す斜視図である。
【図２】上部側面カバー左と下部カバーを示す左側面図である。
【図３】刈刃の駆動部と上部側面カバー左の縦断面図である。
【図４】刈取り側面カバーを示すコンバインの左側面図である。
【図５】側面カバー右と運転席の配置を示す前方視図である。
【図６】図８の上部側面カバー右をＸ−Ｘで断面した平面視図である。
【図７】上部側面カバーを引起しケースに挟持する要部の断面図である。
【図８】側面カバー右と運転席の配置を示す右側面図である。
【符号の説明】
Ａ…走行装置                     Ｂ…脱穀部
Ｃ…刈取り部                   １ａ…上部側面カバー左
１ｂ…上部側面カバー右             ２…支持棒
３…取付け金具                   ４…刈取りフレームパイプ
５…排出空間                     ６…下部カバー
７…引起しケース                 ８…引起しタイン
９…運転席                     １０…防塵シート
１１…上部搬送装置               １２…フック
１３…カバー止めボルト           １４…刈刃
１５…刈刃駆動リンク             １６…搬送路
１７…取付端面                   １８…挟持板
１９…カバーの後縁               ２０…延設カバー
２１…ヘッドカバー               ２２…シール止めボルト
２３…通路隔壁部                 ２４…穂部ガイド板
２５…窓                       矢印イ…側面カバー開方向
矢印ロ…刈刃の駆動方向           矢印ハ…下部カバー開方向
矢印ニ…移送方向
【図１】
0003841955.tif 000002
【図２】
0003841955.tif 000003
【図３】
0003841955.tif 000004
【図４】
0003841955.tif 000005
【図５】
0003841955.tif 000006
【図６】
0003841955.tif 000007
【図７】
0003841955.tif 000008
【図８】
0003841955.tif 000009